(57)【要約】  【課題】ノズルとの干渉による不確実な装着を回避して、確実にヘッドの押下げ操作を不能にし得るスパウトキャップを提供する。  【解決手段】  スパウト９は、容器１にポンプを保持するキャップ６を係合させ、昇降可能に突出する噴出パイプ５の先端部に、前方へ突出するノズル７付きヘッド８を取付けて構成される。スパウトキャップ１０は、ヘッド８に対応する半円部１１ａの直径幅でノズル先端まで延びる方形状上面部１１並びにその前部を残して周囲をカバーする周面部１２を有するヘッドカバー部１５と、周面部１１から下方へ連続し、かつ噴出パイプ周面に着脱自在に係合するように、その背面部分に対応した形状の係合用背面部１９とを備える。この係合用背面部の高さ幅が、ヘッド裏面８ａ及びキャップ上面６ａ間の離間距離に相当する。上面部１１の高さ位置が、係合用背面部１９の噴出パイプ周面への係合状態でヘッド上面８ｂに対して細隙を置くように設定されている。  【選択図】図１
2006327612.tif 000002
【特許請求の範囲】
【請求項１】
容器のネック部にポンプを保持するキャップを係合させ、このキャップから昇降可能に突出する噴出パイプの先端部に、前方へ突出するノズル付きヘッドを取付けて構成されたスパウトに、ヘッドの押下げ操作を不能にするように着脱自在に装着されるスパウトキャップにおいて、
キャップの外径よりも小さく、かつ噴出パイプの外径よりも大きな外径を有するヘッドに対応する半円部及びその直径幅で少なくともノズル先端まで延びる方形部で形成される上面部並びにその前部を残した周縁に形成されて前記ヘッド及び前記ノズルの周囲をカバーする周面部を有するヘッドカバー部と、前記周面部から下方へ連続し、かつ前記噴出パイプ周面に着脱自在に係合するように、その背面部分に対応した形状の係合用背面部とを備えると共に、この係合用背面部の高さ幅が、前記ヘッド裏面及び前記キャップ上面間の離間距離に相当するように設定され、また前記上面部の高さ位置が、前記係合用背面部の前記噴出パイプ周面への係合状態で前記ヘッド上面に対して細隙を置くように設定されていることを特徴とするスパウトキャップ。
【請求項２】
容器のネック部にポンプを保持するキャップを係合させ、このキャップから昇降可能に突出する噴出パイプの先端部に、前方へ突出するノズル付きヘッドを取付けて構成されたスパウトに、ヘッドの押下げ操作を不能にするように着脱自在に装着されるスパウトキャップにおいて、
キャップの外径よりも小さく、かつ噴出パイプの外径よりも大きな外径を有するヘッドの周囲をカバーし、かつノズルを上下方向へ通過させる開口部を前部に備えた筒部と、その上端領域及び前記筒部より幅狭になって少なくともノズル先端まで延びる領域に形成された上面部並びにその周縁に形成されて前記ノズルの周囲をカバーするノズルカバー部を有するヘッドカバー部とを備えると共に、前記キャップ上面に、前記筒部内周面の下端領域を着脱自在に係合させる係合部が形成され、また前記上面部の高さ位置が、前記下端領域の前記係合部への係合状態で前記ヘッド上面に対して細隙を置くように設定されていることを特徴とするスパウトキャップ。
【請求項３】
容器のネック部にポンプを保持するキャップを係合させ、このキャップから昇降可能に突出する噴出パイプの先端部に、前方へ突出するノズル付きヘッドを取付けて構成されたスパウトに、ヘッドの押下げ操作を不能にするように着脱自在に装着されるスパウトキャップにおいて、
ヘッドの外径よりも大きな外径を有するキャップの外周面に着脱自在に係合し、かつノズルを上下方向へ通過させる開口部を前部に備えた筒部と、その上端領域及び筒部より幅狭になって少なくともノズル先端まで延びる領域に形成された上面部並びにその周縁に形成されて前記ノズルの周囲をカバーするノズルカバーを有するヘッドカバー部とを備えると共に、前記筒部の高さ幅は、この筒部を前記キャップ外周面に係合させた状態で、前記上面部がヘッド上面に対して細隙を置くように設定されていることを特徴とするスパウトキャップ。
【請求項４】
容器のネック部にポンプを保持するキャップを係合させ、このキャップから昇降可能に突出する噴出パイプの先端部に、前方へ突出するノズル付きヘッドを取付けて構成されたスパウトに、ヘッドの押下げ操作を不能にするように着脱自在に装着されるスパウトキャップにおいて、
ヘッドの外径よりも小さな外径を有する噴出パイプの周面に着脱自在に係合するように、その前面部分に対応した形状の係合用前面部と、この係合用前面部に連続し、かつ前記ヘッド周面の前面部分に対応した断面半円状の前面部並びにその前端上部から前記ヘッドより幅狭になって少なくともノズル先端まで延びることにより前記ノズルの下方及び周囲を上方の開放状態でカバーするノズルカバー部を有するヘッドカバー部とを備えると共に、前記係合用前面部の高さ幅が、前記ヘッド裏面及び前記キャップ上面間の距離に相当するように設定されていることを特徴とするスパウトキャップ。
【請求項５】
容器のネック部にポンプを保持するキャップを係合させ、このキャップから昇降可能に突出する噴出パイプの先端部に、前方へ突出するノズル付きヘッドを取付けて構成されたスパウトに、ヘッドの押下げ操作を不能にするように着脱自在に装着されるスパウトキャップにおいて、
ヘッドの周面に着脱自在に係合するように、その前面部分に対応した形状を有し、かつ高さ幅が前記ヘッド上面及びキャップ上面間の離間距離に対応する係合用前面部と、その上端部分から前記ヘッドより幅狭になって少なくともノズル先端まで延びることにより前記ノズルの周囲をカバーするノズルカバー部を有するヘッドカバー部とを備えると共に、前記係合用前面部の内周面の高さ方向の途中位置に、前記ノズルカバー部に前記ノズルを挿入させて前記係合用前面部が前記ヘッド周面に係合した状態で、前記ヘッド裏面に向けて延びるストッパが突設されていることを特徴とするスパウトキャップ。
【発明の詳細な説明】
【技術分野】
【０００１】
本発明は、容器のネック部にポンプを保持するキャップを係合させ、このキャップから昇降可能に突出する噴出パイプの先端部に、前方へ突出するノズル付きヘッドを取付けて構成されたスパウトに、ヘッドの押下げ操作を不能にするように着脱自在に装着されるスパウトキャップに関するものである。
【背景技術】
【０００２】
この種の内容液の意図しない噴出を防止するスパウトキャップとしては、特許文献１により、ヘッド周面の前面部分に対応する断面半円状の係合用前面部を備えると共に、その上部に、ヘッド上面をカバーし、さらに前方へ突出してノズルを挿入させるノズル挿入部を形成するカバー部を設け、さらに係合用前面部の装着時の開拡を容易にするように、その上端とカバー部間に切込が形成されたスパウトキャップが周知である。これにより、前方からノズルをノズル挿入部に挿入させつつ下端をキャップ上面に載置させて係合用前面部をヘッド周面に装着させると、ヘッド上面がカバー部でカバーされてヘッドの押下げ操作が不能になる。
【特許文献１】特開平１０−２６３４４３号公報
【発明の開示】
【発明が解決しようとする課題】
【０００３】
しかしながら、ヘッド上面をカバー部でカバーした状態で、前方へ突出するノズルを挿入させるために、特にその突出量が大きくなったり或は下方へ曲げられた形状の場合、挿入時に干渉しやすくなり、したがって不完全な装着状態で携帯した場合に、衣服或はバッグが内容液の誤噴出により汚れる可能性が残される。
【０００４】
本発明は、このような点に鑑みて、ノズルとの干渉による不確実な装着を回避して、確実にヘッドの押下げ操作を不能にし得る冒頭に述べた類のスパウトキャップを提供することを目的とする。
【課題を解決するための手段】
【０００５】
本発明は、この目的を達成するために、容器（１）のネック部（１ａ）にポンプを保持するキャップ(６)を係合させ、このキャップから昇降可能に突出する噴出パイプ(５)の先端部に、前方へ突出するノズル(７)付きヘッド(８)を取付けて構成されたスパウトに、ヘッド(８)の押下げ操作を不能にするように着脱自在に装着されるスパウトキャップにおいて、請求項１によりキャップ(６)の外径よりも小さく、かつ噴出パイプ(５)の外径よりも大きな外径を有するヘッド(８)に対応する半円部(１１ａ)及びその直径幅で少なくともノズル先端まで延びる方形部で形成される上面部(１１)並びにその前部を残した周縁に形成されてヘッド(８)及びノズル(７)の周囲をカバーする周面部(１２)を有するヘッドカバー部(１５)と、周面部(１１)から下方へ連続し、かつ噴出パイプ周面に着脱自在に係合するように、その背面部分に対応した形状の係合用背面部(１９)とを備えると共に、この係合用背面部の高さ幅が、ヘッド裏面(８ａ)及びキャップ上面(６ａ)間の離間距離に相当するように設定され、また上面部(１１)の高さ位置が、係合用背面部(１９)の噴出パイプ周面への係合状態でヘッド上面(８ｂ)に対して細隙を置くように設定されていることを特徴とする。
【０００６】
或は請求項２により、キャップ(６)の外径よりも小さく、かつ噴出パイプ(５)の外径よりも大きな外径を有するヘッド(８)の周囲をカバーし、かつノズル(７)を上下方向へ通過させる開口部(２４)を前部に備えた筒部(２１)と、その上端領域及び筒部(２１)より幅狭になって少なくともノズル先端まで延びる領域に形成された上面部(２２)並びにその周縁に形成されてノズル(７)の周囲をカバーするノズルカバー部(２３)を有するヘッドカバー部(２５)とを備えると共に、キャップ上面(６ａ)に、筒部内周面の下端領域を着脱自在に係合させる係合部(２８)が形成され、また上面部(２２)の高さ位置が、下端領域の係合部(２８)への係合状態でヘッド上面(８ｂ)に対して細隙を置くように設定される。
【０００７】
或は請求項３により、ヘッド(８)の外径よりも大きな外径を有するキャップ(６)の外周面(６ｂ)に着脱自在に係合し、かつノズル(７)を上下方向へ通過させる開口部(３２)を前部に備えた筒部(３１)と、その上端領域及び筒部(３１)より幅狭になって少なくともノズル先端まで延びる領域に形成された上面部(３３)並びにその周縁に形成されてノズル(７)の周囲をカバーするノズルカバーを有するヘッドカバー部(３５)とを備えると共に、筒部(３１)の高さ幅は、この筒部をキャップ外周面(６ｂ)に係合させた状態で、上面部(３３)がヘッド上面(８ｂ)に対して細隙を置くように設定される。
【０００８】
或は請求項４により、ヘッド(８)の外径よりも小さな外径を有する噴出パイプ(５)の周面に着脱自在に係合するように、その前面部分に対応した形状の係合用前面部(４１)と、この係合用前面部に連続し、かつヘッド周面(８ｃ)の前面部分に対応した断面半円状の前面部並びにその前端上部からヘッド(８)より幅狭になって少なくともノズル先端まで延びることによりノズル(７)の下方及び周囲を上方の開放状態でカバーするノズルカバー部(４３)を有するヘッドカバー部(４５)とを備えると共に、係合用前面部（４１）の高さ幅が、ヘッド裏面(８ａ)及びキャップ上面(６ａ)間の距離に相当するように設定される。
【０００９】
或は請求項５により、ヘッド(８)の周面に着脱自在に係合するように、その前面部分に対応した形状を有し、かつ高さ幅がヘッド上面(８ｂ)及びキャップ上面(６ａ)間の離間距離に対応する係合用前面部(５１)と、その上端部分からヘッド(８)より幅狭になって少なくともノズル先端まで延びることによりノズル(７)の周囲をカバーするノズルカバー部(５３)を有するヘッドカバー部(５５)とを備えると共に、係合用前面部(５１)の内周面の高さ方向の途中位置に、ノズルカバー部(５３)にノズル(７)を挿入させて係合用前面部(５１)がヘッド周面(８ｃ)に係合した状態で、ヘッド裏面(８ａ)に向けて延びるストッパが(５８，５９)突設される。
【発明の効果】
【００１０】
請求項１の発明によれば、スパウトキャップがスパウトにノズルの背後側から装着されることにより、特にノズルが長い場合或は下方に曲がる場合であってもスムーズ、かつ確実に装着され、ノズルとの干渉による誤装着に起因する液漏れが確実に回避される。ノズルが左方向へ向くように左手で容器を持ち、右手で背後からスパウトキャップを装着することも可能になる。請求項２又は請求項３の発明によれば、スパウトキャップが、ノズルの形状の如何に拘らず上方からスパウトにスムーズに装着されて誤装着が確実に回避され、また右手でスパウトキャップを装着することもが可能になる。請求項４又は請求項５の発明によれば、スパウトキャップをノズル側から装着する場合でも、上方が開放されていることにより、その干渉を回避して誤装着が確実に回避される。
【発明を実施するための最良の形態】
【００１１】
図を基に本発明の実施の形態によるポンプの噴出パイプの先端部に、前方へ突出するノズル付きヘッドを備えるスパウト用のスパウトキャップを説明する。
図１乃至図３は第１の実施の形態を示すもので、化粧・薬用等の液状もしくは乳液状の内容液が充填された容器１のネック部１ａには、ポンプのシリンダ３を保持するキャップ６がねじ込み式に係合すると共に、このキャップから昇降可能に突出するピストン式の噴出パイプ５の先端部に、前方へ突出するノズル７付きヘッド８が取付けられてスパウト９を構成している。これにより、周知の動作原理により、ヘッド８を押下げ操作して噴出パイプ５を押込んでシリンダ３の内圧を高めることによりディップチューブ２を通して内容液をノズル７から噴出させると共に、押下げ操作を解除した際にばね付勢により自動的に押上げてシリンダ３の内圧を負圧化して内容液が吸い上げるようになっている。
【００１２】
スパウトキャップ１０は、ヘッド８及び僅かに下向きに延びているノズル７の上方及び周囲をカバーするヘッドカバー部１５と、その周面に外径を小さくする段差部１４を経由して下方へ向けて連続し、かつ噴出パイプ５の周面の背面部分に着脱自在に係合するように、その形状に対応した断面半円状の係合用背面部１９とを備え、合成樹脂製の成形品として製作されている。
【００１３】
ヘッドカバー部１５は、キャップ６の外径よりも小さく、かつ噴出パイプ５の外径よりも大きな外径を有するヘッド８のヘッド上面８ｂに対応する半円部１１ａ及びその直径幅でノズル７の先端まで延びる方形部１１ｂで形成される上面部１１と、開口部１１ｃを形成するように、その前部を残した周縁に形成されてヘッド８及びノズル７の周囲をカバーする周面部１２及びこの周面部から下方へ連続してヘッド周面の背面部分の下方領域をカバーする横断半円状の周面部１３とを有する。係合用背面部１９の高さ幅は、ヘッド裏面８ａ及びキャップ上面６ａ間の離間距離に相当するように設定されると共に、その断面は噴出パイプ５の周面の断面半円よりも僅かに円弧角を広くして係合を確実にしている。上面部１１の高さ位置は、係合用背面部１９の噴出パイプ５への係合状態でヘッド上面８ｂに対して細隙を置くように設定されている。
【００１４】
容器１の不使用時には、ヘッド８の背後からノズル７の延びる方向へスパウトキャップ１０を押込み、係合用背面部１９を噴出パイプ５の背面部分に弾性により一旦開拡して係合させると、ノズル７及びヘッド８の上方及び周囲が、前方及び下方を開放させてヘッドカバー部１５により見栄え良くカバーされると共に、昇降不能のスパウトキャップ１０の上面部１１により、ヘッド上面８ｂの上方がカバーされて押下げ操作が不能になる。尚、係合用背面部１９の形状を丁度断面半円状にすると共に、その縁部に形成した凹部又は凸部を噴出パイプ５の周面に形成した凸部又は凹部に係合させることも考えられる。
【００１５】
図４は第２の実施の形態によるスパウトキャップを示すもので、前述のスパウト９のヘッド８の周囲をカバーし、かつノズル７を上下方向へ通過させる開口部２４を前部に備えた筒部２１と、その上端領域から筒部２１より幅狭になってノズル先端まで延びる上面部２２及びこの上面部のノズル上方領域の周縁に形成されてノズルの周囲をカバーするノズルカバー部２３を有するヘッドカバー部２５とを備える。筒部２１の高さ幅は、キャップ上面６ａに載置させた状態で、上面部２２がヘッド８の上面に対して細隙を置くように設定されている。キャップ上面６ａには、ヘッド８の外径よりも内径を僅かに大きく設定された筒部２１の内周面の下端領域を摩擦係合させるように、噴出パイプ５を囲み、かつ外周面にリング状凸部２８ａを備えた係合部２８が突設されている。筒部２１の高さ、即ち上面部２２の高さ位置は、係合部２８への係合状態で、ヘッド上面８ｂに対して細隙を置くように設定されている。尚、筒部２１の内周面の下端領域には、リング状凸部２８ａに対応する凹部を形成したり、さらに別の係合構造にすることも考えられる。
【００１６】
スパウトキャップ２０の装着時には、開口部２４がノズル７を通過するように上方から差し込み、筒部２１の下端をキャップ上面６ａに当接させると係合部２８に係合する。この装着状態で、ヘッドカバー部２５により、ヘッド８が、ノズル７と共に上方及び周囲を包囲されて押下げ操作が不能になる。
【００１７】
図５は第３の実施の形態によるスパウトキャップを示すもので、ヘッド８の外径よりも大きな外径を有する前述のキャップ６の外周面６ｂに着脱自在に摩擦係合し、かつノズル７を上下方向へ通過させる開口部３２を前部に備えた筒部３１と、その上端領域及びその前部でノズル７の横幅に対応して幅狭になってノズル先端まで延びる上面部３３及びそのノズル上方領域の周縁に形成されてノズル７の周囲を下方の開放状態でカバーするノズルカバー部３４を有するヘッドカバー部３５とを備えると共に、筒部３１の高さ幅は、キャップ上面６ａへの載置状態で、上面部３３がヘッド上面８ｂに対して細隙を置くように設定されている。
【００１８】
スパウトキャップ３０の装着時には、開口部３２がノズル７を通過するように上方から差し込み、その下端をキャップ上面６ａに当接させると、筒部３１の下方領域がキャップ６の外周面６ｂに着脱自在に摩擦係合する。この装着状態で、ヘッド８がノズル７と共に上方及び周囲をカバーされ、押下げ操作が不能になる。
【００１９】
図６は第４の実施の形態によるスパウトキャップを示すもので、ヘッド８の外径よりも小さな外径を有する噴出パイプ５の周面に係合するように、その前面部分に対応した断面半円状の係合用前面部４１と、この係合用前面部に外径を大きくする段差部４４を介して連続し、かつヘッド周面８ｃの前面部分に対応した断面半円状の前面部４２及びその前端上部からヘッド８より幅狭になってノズル先端まで延びることによりノズル７の下方及び周囲を上方の開放状態でカバーするノズルカバー部４３を有するヘッドカバー部４５とを備える。係合用前面部４１の高さ幅が、ヘッド裏面８ａ及びキャップ上面６ａ間の離間距離に相当するように設定されると共に、係合用前面部４１は、ヘッド８の断面半円状に対して僅かに大きな円弧の断面に形成され、一旦弾性により開拡して確実に係合するようになっている。
【００２０】
スパウトキャップ４０の装着時には、上方から確認しつつノズルカバー部４３にノズル７を侵入させて係合用前面部４１を噴出パイプ５の前面部分に係合させる。これにより、スパウト９のキャップ６を除いた前面部分がノズル７の周囲を含めてカバーされると共に、ヘッド裏面８ａ及びキャップ上面６ａ間に、対応寸法の係合用前面部４１が介在することにより、ヘッド８の上方が開放されていても押下げ操作が拘束される。
【００２１】
図７及び図８は第５の実施の形態によるスパウトキャップを示す。ヘッド周面８ｃに着脱自在に係合するように、その前面部分に対応した形状を有し、かつ高さ幅がヘッド上面８ｂ及びキャップ上面６ａ間の距離に対応する係合用前面部５１と、その上端部分からヘッド８より幅狭になって少なくともノズル先端まで延びることによりノズル７の四方の周囲をカバーするノズルカバー部５３を有するヘッドカバー部５５とを備えると共に、係合用前面部５１の内周面の高さ方向の途中位置に、ヘッド裏面８ａに向けて延びる両側及び中間のストッパ５８，５９が突設されている。係合用前面部５１は略断面半円状であるが、ヘッド８の断面半円状に対して僅かに大きな円弧の断面に形成され、弾性開拡して確実に係合するようになっている。また、係合用前面部５１の上端は開口されている。ストッパ５８，５９は、ノズルカバー部５３にノズル７を挿入させて係合用前面部５１がヘッド周面８ｃに係合した状態で、ヘッド裏面８ａに近接する高さ位置に設定され、それぞれに係合用前面部５１の内周面に一体に形成された支柱部５８ａ，５９ａが下設されている。
【００２２】
スパウトキャップ５０の装着時には、ノズル７との位置関係を上方から確認しつつノズルカバー部５３にノズル７を侵入させて、係合用前面部５１をキャップ上面６ａへの着座状態でヘッド８の前面部分に係合させる。これにより、スパウト９のキャップ６を除いた前面部分がノズル７の周囲を含めてカバーされると共に、ストッパ５８，５９がヘッド裏面８ａの近接位置を占めることにより、ヘッド８の上方が開放されていても押下げ操作が拘束される。
【図面の簡単な説明】
【００２３】
【図１】本発明の第１の実施の形態によるスパウトキャップの斜視図である。
【図２】同スパウトキャップの装着状態を示す斜視図である。
【図３】同スパウトキャップが装着されるスパウトの一部断面にした側面図である。
【図４】本発明の第２の実施の形態によるスパウトキャップを示すもので同図Ａはその斜視図、同図Ｂはその装着状態の斜視図である。
【図５】本発明の第３の実施の形態によるスパウトキャップの斜視図である。
【図６】本発明の第４の実施の形態によるスパウトキャップを示すもので、同図Ａはその斜視図、同図Ｂはその装着状態を示す斜視図である。
【図７】本発明の第５の実施の形態によるスパウトキャップを示すもので、同図Ａはその斜視図、同図Ｂはその平面図、同図Ｃはその内部に部分斜視図である。
【図８】図７によるスパウトキャップの装着状態の側面図である。
【符号の説明】
【００２４】
１  容器
１ａ  ネック部
３  ポンプのシリンダ
５  ポンプの噴出パイプ
６  キャップ
６ａ  キャップ上面
７  ノズル
８  ヘッド
８ｂ  ヘッド上面
１０，２０，３０，４０，５０  スパウトキャップ
１１，２２，３３  上面部
１１ａ  半円部
１１ｂ  方形部
１１ｃ，２４，３２  開口部
１２，１３  周面部
１５，２５，３５，４５，５５  ヘッドカバー部
１９  係合用背面部
２１，３１  筒部
２３，４３，５３  ノズルカバー部
２８  係合部
４１，５１  係合用前面部
５８，５９  ストッパ
【図１】
2006327612.tif 000003
【図２】
2006327612.tif 000004
【図３】
2006327612.tif 000005
【図４】
2006327612.tif 000006
【図５】
2006327612.tif 000007
【図６】
2006327612.tif 000008
【図７】
2006327612.tif 000009
【図８】
2006327612.tif 000010